(57)【要約】【課題】ゲームを集中して楽しむことができると共に、より効果的な演出表示を行うスロットマシン等の遊技機を提供する。【解決手段】前面パネルの中部パネル部１０４に対向して設けられている回胴リールＲ１，Ｒ２，Ｒ３の左右両側に、ドットマトリクス型ディスプレイや液晶ディスプレイ等で形成された表示ディバイス３００ａ，３００ｂを備えた第２表示装置３００を設ける。ここで、表示ディバイス３００ａは、その表示面の回胴リールＲ１側（内側）が奥、外側が前面側に近くなるようにして右左方向に傾斜して設けると共に、表示ディバイス３００ｂは、その表示面の回胴リールＲ３側（内側）が奥、外側が前面側に近くなるようにして右左方向に傾斜して設けることにより、回胴リールＲ１，Ｒ２，Ｒ３に対面してゲームを行う遊技者の顔の方向に、表示ディバイス３００ａ，３００ｂの両表示面を向け、遊技者が演出表示を容易に目視できると共にゲームを集中して楽しむことができる環境を提供する。【選択図】    図１
2004329284.tif 000002
【特許請求の範囲】
【請求項１】
演出画像を表示する表示手段を備えた遊技機において、
前記表示手段は、当該遊技機に対面して遊技を行う遊技者の顔の方向に向けて傾斜して設けられていることを特徴とする遊技機。
【請求項２】
前記表示手段は、前記遊技者に対し左又は右側から顔の方向に向けられた表示面を有することを特徴とする請求項１に記載の遊技機。
【請求項３】
前記表示手段は、前記遊技者が対面する前面パネルに取り付けられる枠体に傾斜して設けられていることを特徴とする請求項１又は２に記載の遊技機。
【請求項４】
前記表示手段は、前記遊技者が対面する前面パネルに取り付けられる枠体に傾斜して取り付けられた支持部材に取り付けられることにより、前記遊技を行う遊技者の顔の方向に向けて傾斜して設けられていることを特徴とする請求項１〜３の何れか１項に記載の遊技機。
【請求項５】
前記表示手段は前記支持部材の裏面側に設けられると共に、前記支持部材は前記表示手段に表示される画像を透過する着色された半透明な板部を有することを特徴とする請求項４に記載の遊技機。
【請求項６】
前記遊技機は、前記遊技者が対面する回胴リール装置を備えたスロットマシンであり、前記回胴リール装置の左又は右側に前記表示手段が設けられていることを特徴とする請求項１〜５の何れか１項に記載の遊技機。
【発明の詳細な説明】
【０００１】
【発明の属する技術分野】
本発明は、表示装置を備えた例えばスロットマシンやパチンコ機等の遊技機に関する。
【０００２】
【従来の技術】
従来、表示装置を備えた遊技機として特許文献１に開示されたスロットマシンが知られている。
【０００３】
このスロットマシンには、同文献１の図１に示されているように、本体部の前面に３列のリール１９ａ，１９ｂ，１９ｃを有するリール機構が組み込まれ、これらリール１９ａ，１９ｂ，１９ｃの側方（右側壁面）に、いわゆる演出表示を行うための表示装置としての表示パネル（ＥＬランプ）３が設けられている。
【０００４】
かかる構成において、遊技者により回転開始ノブが押下されると、ゲーム開始となってリール１９ａ，１９ｂ，１９ｃを所定速度で回転させ、次に停止釦が押下されると、リール１９ａ，１９ｂ，１９ｃを順次停止させる。そして、停止した３個のリール１９ａ，１９ｂ，１９ｃに描かれている特定の絵柄（例えば、数字の７）が入賞ライン上に揃うと「大当り」となり、表示パネル３に同文献１の図４に示されている表示を行うことによって大当たりが出たことを知らせ、遊技者に対し快感を与えるようにしている。
【０００５】
【特許文献１】
特開２００１−１７０２５０号公報
【０００６】
【発明が解決しようとする課題】
ところで、上記従来のスロットマシンにあっては、同文献１の図１を見ればより明らかなとおり、上述の演出表示用の表示パネル３がスロットマシンのいわゆる平面状の前面パネル面に重ね合わせて平行に取り付けられ、且つリール機構の側方に離れて取り付けられているため、表示パネル３の表示面が、リール機構に対面して着座している遊技者からずれた方向に向けられている。
【０００７】
そのため、例えば「大当り」が出たことを知らせるための演出表示を行った場合、視線を移して斜め方向から表示パネル３の表示面を見たり、体を移動させて表示パネル３の表示面を覗き込む等の対応を遊技者に強いることとなり、遊技者がゲームに集中できなくなる等の問題がある。
【０００８】
また、上述の表示パネル３に「大当り」等の演出表示を行うと、隣の遊技者からその表示を覗き込まれる場合もあり、遊技者がゲームに集中できなくなる等の問題がある。
【０００９】
本発明は、こうした従来の課題に鑑みて成されたものであり、例えばゲームを集中して楽しむことができ、また、より効果的な演出表示を行う遊技機を提供することを目的とする。
【００１０】
【課題を解決するための手段】
請求項１に記載の発明は、演出画像を表示する表示手段を備えた遊技機において、前記表示手段は、当該遊技機に対面して遊技を行う遊技者の顔の方向に向けて傾斜して設けられていることを特徴とする。
【００１１】
請求項１に記載の発明によれば、表示手段の演出画像を遊技者の顔の方向に向けて表示することにより、遊技者に対し演出画像を容易に目視させ、ゲームに集中して楽しむことを可能にする。
【００１２】
請求項２に記載の発明は、請求項１に記載の遊技機において、前記表示手段は、前記遊技者に対し左又は右側から顔の方向に向けられた表示面を有することを特徴とする。
【００１３】
請求項２に記載の発明によれば、表示手段の演出画像を遊技者の顔の左側又は右側、若しくは左右両側に向けて表示することにより、遊技者に対し演出画像を容易に目視させ、ゲームに集中して楽しむことを可能にする。
【００１４】
請求項３に記載の発明は、請求項１又は２に記載の遊技機において、前記表示手段は、前記遊技者が対面する前面パネルに取り付けられる枠体に傾斜して設けられていることを特徴とする。
【００１５】
請求項４に記載の発明は、請求項１ないし３の何れか１項に記載の遊技機において、前記表示手段は、前記遊技者が対面する前面パネルに取り付けられる枠体に傾斜して取り付けられた支持部材に取り付けられることにより、前記遊技を行う遊技者の顔の方向に向けて傾斜して設けられていることを特徴とする。
【００１６】
請求項３、請求項４に記載の発明によれば、表示手段が設けられた枠体を前面パネルに取り付けるだけで、表示手段を遊技機に簡易に取り付けることができ、組み立て工程の簡素化等を実現する。
【００１７】
請求項５に記載の発明は、請求項４に記載の遊技機において、前記表示手段は前記支持部材の裏面側に設けられると共に、前記支持部材は前記表示手段に表示される画像を透過する着色された半透明な板部を有することを特徴とする。
【００１８】
請求項５に記載の発明によれば、表示手段の画像が着色された半透明な板部を透過する際、その色によって変調された演出画像となって表示され、視覚効果、演出効果の高い演出表示を実現する。
【００１９】
請求項６に記載の発明は、請求項１ないし５の何れか１項に記載の遊技機であって、前記遊技機は、前記遊技者が対面する回胴リール装置を備えたスロットマシンであり、前記回胴リール装置の左又は右側に前記表示手段が設けられていることを特徴とする。
【００２０】
請求項６に記載の発明によれば、回胴リール装置に対面する遊技者に対し、表示手段が顔の方向に向けて傾斜して設けられ、回胴リール装置を見ながら表示手段を見ることを可能にする。これにより、ゲームに集中して楽しむことを可能にするスロットマシンを提供する。
【００２１】
【発明の実施の形態】
以下、本発明の好適な実施形態として、遊戯場等に設置される回胴式遊技機（以下「スロットマシン」という）及びそれに設けられている表示装置について、図１ないし図７を参照して説明する。
【００２２】
なお、図１は本スロットマシン１００の外部構造を表した平面図、図２は本スロットマシン１００の内部構造を表した平面図、図３ないし図５は本スロットマシン１００に設けられている表示装置３００の構造を詳細に表した図、図６は本スロットマシン１００に設けられている制御システムの構成を表したブロック図、図７は表示装置３００に表示される演出画像の一例を表した図である。
【００２３】
図１において、本スロットマシン１００は、遊技者に面するフロントドア１０１と、フロントドア１０１が開閉可能に取り付けられた後述の箱形形状の筐体１０２とを備えて構成されている。
【００２４】
フロントドア１０１は、基本的に、金属製のフレーム（図示略）に硬質プラスチック等で成形された前面パネルが取り付けられた機械的に強固な構造を有し、当該前面パネルによって、上部パネル部１０３と中部パネル部１０４と下部パネル部１０５が構成されている。
【００２５】
上部パネル部１０３には、演出用ランプ１０３ａと、スピーカが取り付けられた放音部１０３ｂ，１０３ｃと、液晶ディスプレイ等で形成された演出表示用の第１表示装置１０３ｄが設けられている。
【００２６】
中部パネル部１０４には、複数個（本実施形態では３個）の回胴リールＲ１，Ｒ２，Ｒ３を備えた回胴リール装置２００が略中央の位置に設けられると共に、回胴リールＲ１，Ｒ２，Ｒ３の両側に、ドットマトリクス型ディスプレイや液晶ディスプレイ等で形成された表示手段としての表示ディバイス３００ａ，３００ｂを備えた第２表示装置３００が設けられ、更に第２表示装置３００の外側に演出用ランプ１０４ａ，１０４ｂが設けられている。
【００２７】
また、回胴リール装置２００と表示ディバイス３００ａ，３００ｂの前面に、透明な硬質プラスチック板で形成された略長方形の透過窓ＷＤが取り付けられ、これによって回胴リール装置２００と第２表示装置３００を外部から保護すると共に、遊技者が透過窓ＷＤを介して回胴リールＲ１，Ｒ２，Ｒ３と表示ディバイス３００ａ，３００ｂを見ることが可能となっている。更に、透過窓ＷＤの周縁には額縁状の縁部ＷＰが一体形成されており、当該縁部ＷＰがいわゆる化粧板の機能とスロットマシン１００の前面を密封する機能を備えている。
【００２８】
ここで、上述のドットマトリクス型ディスプレイは、多数の微細な高輝度発光ダイオードが面状にマトリックス配列されて成る表示面を有し、画像データに基づいて各ダイオードを所定周波数で順次走査、すなわち各ダイオードを順次に駆動することによって、人間の目に残像現象を生起させ得る２次元の演出画像を表示する。また、上述の液晶ディスプレイも同様に、多数のピクセル（画素）を順次走査することによって人間の目に残像現象を生起させ得る２次元の演出画像を表示する。
【００２９】
そして、これらドットマトリクス型ディスプレイや液晶ディスプレイ等で形成された表示ディバイス３００ａ，３００ｂが、回胴リールＲ１，Ｒ２，Ｒ３に対面して着座する遊技者の顔の方向に向けて取り付けられている。
【００３０】
つまり、表示ディバイス３００ａは、その表示面の回胴リールＲ１側（内側）が透過窓ＷＤに対して奥、表示面の演出用ランプ１０４ａ側（外側）が透過窓ＷＤに近接するようにして、右左方向に傾斜して取り付けられることにより、その表示面の法線方向が遊技者の顔の方向に向けられている。また、表示ディバイス３００ｂも同様に、その表示面の回胴リールＲ３側（内側）が透過窓ＷＤに対して奥、表示面の演出用ランプ１０４ｂ側（外側）が透過窓ＷＤに近接するようにして、右左方向に傾斜して取り付けられることにより、その表示面の法線方向が遊技者の顔の方向に向けられている。
【００３１】
中部パネル部１０４の下端には、遊技者が操作するための操作部１０４ｃが備えられ、遊技用メダルを投入するためのメダル投入部ＭＤと、１ゲーム当たりのメダル数を提示するためのベットボタンＢ１，Ｂ２，Ｂ３と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が回胴リールＲ１，Ｒ２，Ｒ３に対応付けて設けられている。
【００３２】
下部パネル部１０５には、本スロットマシン１００のゲーム内容に関連した画像等（図示略）が描かれており、遊技者の獲得したメダルを払い出すための排出口１０５ａ及び受皿１０５ｂと、スピーカが設けられた放音部１０５ｃが設けられている。
【００３３】
次に、図２を参照して、フロントドア１０１の裏面構造と、筐体１０２の内部構造を説明する。図２はフロントドア１０１を開錠して筐体１０２から開いた状態を表している。
【００３４】
同図において、フロントドア１０１の裏面上部に、放音部１０３ｂ，１０３ｃを構成するスピーカＳＲ，ＳＬが設けられ、スピーカＳＲ，ＳＬの間に第１表示装置１０３ｄが設けられている。
【００３５】
第１表示装置１０３ｄの下方には、第２表示装置３００がフロントドア１０１に固定された金属製フレームＦＬＭ１に取り付けられている。なお、フロントドア１０１を筐体１０２から開いた場合、透過窓ＷＤと、第２表示装置３００の左右両側に設けられている表示ディバイス３００ａ，３００ｂの夫々の裏面を見ることができるが、第２表示装置３００のより詳細な構造については後述することとする。
【００３６】
第２表示装置３００の下方には、メダル投入部ＭＤより投入される投入物を正規の遊技用メダルか異物か判別して振り分ける振分機構Ｇ０と、振分機構Ｇ０で振り分けられた遊技用メダルを筐体１０２側に設けられているホッパ装置ＨＰへ案内するガイド部材Ｇ１と、振分機構Ｇ０で振り分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００３７】
筐体１０２内には、主電源装置ＰＷＵと、ホッパ装置ＨＰから溢れた遊技用メダルを収容するための補助貯留部ＳＨＰと、フロントドア１０１側の透過窓ＷＤに対向する回胴リールＲ１，Ｒ２，Ｒ３を備えた回胴リール装置２００と、本スロットマシン１００の動作全体を集中制御する電気回路基板等を備えた主制御ユニット４００が設けられている。
【００３８】
ここで、主制御ユニット４００は、図６のブロック図に示すように、スロットマシン１００の動作全体を管理するシステムプログラム及びスロットマシンゲーム用の実行プログラムが予め記憶されている半導体メモリ等で形成された記憶部ＭＥＭと、これらのプログラムを実行するマイクロプロセッサ（ＭＰＵ）とを有する中央制御部４００ａを備える他、中央制御部４００ａの搭載されている電気回路基板とは夫々別個の電気回路基板で形成され中央制御部４００ａからの指令に従って分散制御を行う演出制御部４００ｂ及び回胴リール制御部４００ｃと、各種の入力ポート４００ｄ，４００ｅ，４００ｆと入出力ポート４００ｇ，４００ｈを備えて構成されている。
【００３９】
そして、ベットボタンＢ１，Ｂ２，Ｂ３とスタートレーバーＳＴ及びストップボタンＳＰ１，ＳＰ２，ＳＰ３が入力ポート４００ｄ，４００ｅ，４００ｆを介して中央制御部４００ａに接続され、振分機構Ｇ０とホッパ装置ＨＰが入出力ポート４００ｇ，４００ｈを介して中央制御部４００ａに接続されている。
【００４０】
また、演出制御部４００ｂには、音響制御部４００ｉと照明制御部４００ｊ及び表示装置制御部４００ｋが備えられ、音響制御部４００ｉにはスピーカＳＬ，ＳＲ，ＳＷが、照明制御部４００ｊには演出用ランプ１０３ａ，１０４ａ，１０４ｂが、表示装置制御部４００ｋには第１表示装置１０３ｄと第２表示装置３００が夫々配線接続されている。
【００４１】
そして、ゲームの進行等に応じて中央制御部４００ａから指令される演出制御の内容に従って、音響制御部４００ｉはスピーカＳＬ，ＳＲ，ＳＷによる音響演出の制御、照明制御部４００ｊは演出用ランプ１０３ａ，１０４ａ，１０４ｂによる照明演出の制御、表示装置制御部４００ｋは第１表示装置１０３ｄと第２表示装置３００による演出表示の制御を行う。
【００４２】
また、回胴リール制御部４００ｃは、回胴リール装置２００に設けられている電動モータ（図示略）を制御し、回胴リールＲ１，Ｒ２，Ｒ３の回転と制動及び停止の制御を行う。
【００４３】
次に、第２表示装置３００の構造を図３、図４、図５を参照して詳細に説明する。
なお、図３は分解斜視図、図４は要部構造を表した斜視図及び断面図、図５は組み立て後の構造を表した平面図である。
【００４４】
図３において、第２表示装置３００は、硬質プラスチックで成形された略長方形状の枠体３００ｃと、枠体３００ｃに形成されている略長方形状の開口３００ｄの両側に傾斜して取り付けられ、硬質プラスチックで成形された表示板ＤＳＬ，ＤＳＲと、表示板ＤＳＬに取り付けられた表示ディバイス３００ａ、及び表示板ＤＳＲに取り付けられた表示ディバイス３００ｂを備えて構成されている。
【００４５】
枠体３００ｃは、所定の金型を用いた射出成形等により成形され、それによって回胴リール装置２００の回胴リールＲ１，Ｒ２，Ｒ３をスロットマシン１００の前面側から見ることを可能にする開口３００ｄが予め形成されている。
【００４６】
表示板ＤＳＬとＤＳＲは、演出効果を考慮したスロットマシン１００の仕様等に応じて、例えば赤色、黄色、紫色等の半透明なカラープラスチックで成形されており、表示板ＤＳＬは枠体３００ｃの左側端部、表示板ＤＳＲは枠体３００ｃの右側端部に、夫々開口３００ｄ側に向けて傾斜して取り付けられている。
【００４７】
表示ディバイス３００ａは、多数の微細な高輝度発光ダイオードが面状にマトリクス配列されて成るドットマトリクス型の表示部ＬＥＤａと、表示部ＬＥＤａを支持すると共に各発光ダイオードを駆動する電気回路等が搭載された回路基板３００ａｐを備えて構成され、表示板ＤＳＬの背面側（別言すれば裏面側）に取り付けられている。
【００４８】
すなわち、表示ディバイス３００ａは、表示板ＤＳＬの前面側に取り付けられているのではなく、表示板ＤＳＬの裏面に表示部ＬＥＤａの表示面が対向した状態で回路基板３００ａｐと共に表示板ＤＳＬの裏面側に取り付けられている。
【００４９】
したがって、表示部ＬＥＤａに画像が表示されると、半透明な表示板ＤＳＬの色によって変調（別言すれば、色混合）されたカラーの演出画像が表示板ＤＳＬの前面に表示される。
【００５０】
表示ディバイス３００ｂも同様に、多数の微細な高輝度発光ダイオードが面状にマトリクス配列されて成るドットマトリクス型の表示部ＬＥＤｂと、表示部ＬＥＤｂを支持すると共に各発光ダイオードを駆動する電気回路等が搭載された回路基板３００ｂｐを備えて構成され、表示板ＤＳＲの裏面側に取り付けられている。
【００５１】
すなわち、表示ディバイス３００ｂも、表示板ＤＳＲの前面側に取り付けられているのではなく、表示板ＤＳＲの裏面に表示部ＬＥＤｂの表示面が対向した状態で回路基板３００ｂｐと共に表示板ＤＳＲの裏面側に取り付けられている。
【００５２】
したがって、表示部ＬＥＤｂに画像が表示されると、半透明な表示板ＤＳＲの色によって変調されたカラーの演出画像が表示板ＤＳＲの前面に表示される。
【００５３】
更に、図４を参照して、表示板ＤＳＬ，ＤＳＲの構造及び表示ディバイス３００ａ，３００ｂの取り付け構造等をより詳細に説明する。なお、図４は、表示板ＤＳＬ及び表示ディバイス３００ａ側の構造を代表して示しており、表示板ＤＳＲ及び表示ディバイス３００ｂ側の構造も同様となっている。
【００５４】
図４（ａ）において、表示板ＤＳＬは、平板状の板部Ａ１と、板部Ａ１の上下端に連なって前面側に向けて立設された側壁部Ａ２，Ａ３を備えて一体成形されている。
【００５５】
側壁部Ａ２，Ａ３の夫々には、前面側に向けられたスリット状の長溝Ａ５が複数個形成されると共に、長溝Ａ５間の部位に爪形状の突起ＦＳが形成されている。
【００５６】
更に板部Ａ１の裏面側の側縁に突条部Ａ６が一体成形されると共に、突条部Ａ６の四隅の内側に表示ディバイス３００ａを固着するための固定部Ａ４が一体成形されている。
【００５７】
ここで、図４（ａ）中の仮想線Ｘ−Ｘに沿った矢視断面図（図４（ｂ））に示すように、突条部Ａ６は、板部Ａ１の裏面側の側縁に沿って形成されることで、板部Ａ１の裏面側を囲ういわゆる矩形状の塀のように形成されており、その矩形状の四隅に、ネジ穴が形成された固定部Ａ４が形成されている。
【００５８】
更に、側壁部Ａ２とＡ３は、図４（ｂ）に示されているように、略台形状（又は三角形状）に形成されており、その結果、側壁部Ａ２とＡ３の前面側の上端に対して板部Ａ１が所定角度で傾斜している。
【００５９】
表示ディバイス３００ａの表示部ＬＥＤａを、板部Ａ１と突条部Ａ６とで画成される室内に裏面側から嵌め込み、回路基板３００ａｄの四隅に穿設されている貫通穴（符号略）と上述の固定部Ａ４とを位置合わせしてネジ止めすることにより、半透明の板部Ａ１の裏面に表示部ＬＥＤａの表示面が対向した状態で表示ディバイス３００ａが取り付けられている。
【００６０】
更に、表示ディバイス３００ａの取り付けられた表示板ＤＳＬの側壁部Ａ２とＡ３を、枠体３００ｃの開口３００ｄに面する上下の内壁間に、裏面側から嵌め込み、枠体３００ｃのそれら内壁に予め形成されている狭持部（図示略）に上述の爪形状の突起ＦＳを嵌着することによって、枠体３００ｃに対して表示板ＤＳＬが取り付けられている。
【００６１】
ここで、図４（ｂ）を参照して説明したように、略台形状（又は三角形状）に形成された側壁部Ａ２，Ａ３の前面側の上端と板部Ａ１との成す角度は、枠体３００ｃの狭持部に爪形状の突起ＦＳを嵌着すると、板部Ａ１の法線方向が遊技者の顔の方向に向くこととなるように予め実験的に決められている。このため、枠体３００ｃに予め形成されている上述の狭持部に爪形状の突起ＦＳを嵌着するだけで、表示板ＤＳＬ及び表示ディバイス３００ａを遊技者の顔の方向に向くこととなるように枠体３００ｃに対して所定の傾斜角度で、且つ脱落することなく容易に取り付けることが可能となっている。
【００６２】
また、重複説明を避けるために、表示板ＤＳＲ及び表示ディバイス３００ｂ側の構造等の詳細な説明を割愛するが、表示板ＤＳＲ及び表示ディバイス３００ｂも同様に、枠体３００ｃが中部パネル１０４に組み付けられた際、表示板ＤＳＲ及び表示ディバイス３００ｂが遊技者の顔の方向に向くように取り付けられている。
【００６３】
このように表示装置３００を構成することによって、図５に示すように、枠体３００ｃの中央部分に回胴リールＲ１，Ｒ２，Ｒ３を見せるための開口３００ｄと、開口３００ｄの左右両側に、表示板ＤＳＬと表示ディバイス３００ａから成るいわゆる第１の表示ユニットと、表示板ＤＳＲと表示ディバイス３００ｂから成るいわゆる第２の表示ユニットを配置した構造が実現されている。
【００６４】
再び図３において、組み立てられた表示装置３００は、フロントドア１０１に予め取り付けられている金属製フレームＦＬＭ１に、フロントドア１０１の前面側からネジ止め等によって取り付けられている。
【００６５】
また、金属製フレームＦＬＭ１には、枠体３００ｃの開口３００ｄと略同形の開口ＦＬＭ２又は空間が設けられているため、枠体３００ｃを金属製フレームＦＬＭ１に取り付けると、開口３００ｄが筐体１０２内に連通するようになっている。
【００６６】
更に、枠体３００ｃと略同じ長方形状の硬質プラスチック板からなるパネル板ＰＮＬが枠体３００ｃの前端に取り付けられることによって、図１に示したように、外部からの保護と化粧の施された中部パネル部１０４が構成されている。
【００６７】
また、パネル板ＰＮＬは、図３に示したように、枠体３００ｃの開口３００ｄと略同じ長方形状の透明な硬質プラスチック板で形成された透過窓ＷＤと、枠体３００ｃと略同じ長方形状であって透過窓ＷＤを囲む硬質プラスチックで形成された縁部ＷＰとが一体成形された構造を有している。このため、フロントドア１０１が筐体１０２側に閉じられると、遊技者は透過窓ＷＤを介して、回胴ルール装置２００の回胴リールＲ１，Ｒ２，Ｒ３と、左右の側に位置する表示板ＤＳＬと表示ディバイス３００ａから成るいわゆる第１の表示ユニットと、表示板ＤＳＲと表示ディバイス３００ｂから成るいわゆる第２の表示ユニットとを見ることが可能となっている。
【００６８】
次に、かかる構造の第２表示装置３００を備えたスロットマシン１００の動作例を図１及び図６を参照して説明する。
【００６９】
遊技者が何れかのベットボタンＢ１，Ｂ２，Ｂ３によってメダル数を提示し、引き続きスタートレバーＳＴをオン操作するとゲーム開始となり、中央制御部４００ａが役抽選の処理を行うと共に回胴リール制御部４００ｃに指示して、回胴リール装置２００の回胴リールＲ１，Ｒ２，Ｒ３を同時に回転開始させる。
【００７０】
更に、中央制御部４００ａは、抽選した役がレギュラーボーナス（ＲＢ）やビッグボーナス（ＢＢ）等の特別役となった場合、それらの特別役に関連する演出画像を第２表示装置３００の表示ディバイス３００ａと３００ｂに表示させるべく、表示装置制御部４００ｋに指示する。
【００７１】
これにより、表示装置制御部４００ｋは、予め備えられている画像メモリ中に記憶されている画像データを表示ディバイス３００ａ，３００ｂに供給し、特別役に関連する例えば数字の「７」を示す静止画や、数字の「７」が動く動画等を表示させる。更に、表示ディバイス３００ａ，３００ｂの画像が色付きの半透明な表示板ＤＳＬ，ＤＳＲを透過し、表示板ＤＳＬ，ＤＳＲの色で変調された演出画像が前面側に映し出される。
【００７２】
そして、表示板ＤＳＬ，ＤＳＲ及び表示ディバイス３００ａ，３００ｂは遊技者の顔の方向に向けて傾斜されているため、遊技者は、その演出画像を容易に見ることができ、特別役が抽選されたことを知ることができる。
【００７３】
次に、遊技者がストップボタンＳＰ１，ＳＰ２，ＳＰ３を所望の順番でオン操作すると、中央制御部４００ａが回胴リール制御部４００ｃに指示し、回転中の回胴リールＲ１，Ｒ２，Ｒ３を、そのオン操作された順番に従って制動させると共に、最終的に停止させる。
【００７４】
そして、停止した回胴リールＲ１，Ｒ２，Ｒ３に描かれている絵柄が上述の特別役に相当する組み合わせで、有効ライン（図示略）上に並んで揃うと、中央制御部４００ａが入賞と判断し、ホッパ装置ＨＰに指示して、その特別役で決められている枚数のメダルを払い出させる。
【００７５】
このように、本実施形態のスロットマシン１００によれば、回胴リールＲ１，Ｒ２，Ｒ３の側方に、演出画像を表示する表示ディバイス３００ａ，３００ｂが遊技者の顔の方向に向けて傾斜して設けられているので、遊技者は演出画像を容易に目視することができ、ゲームに集中することができる。
【００７６】
また、表示ディバイス３００ａ，３００ｂは、左右内側が奥、外側が遊技者側に近づけて傾斜しているので、遊技者の隣でゲームを行っている他の遊技者から遊技の進行状況を覗き込まれることがなく、ゲームに集中して楽しむことができる。
【００７７】
また、表示ディバイス３００ａ，３００ｂの前面側には、着色された半透明の表示板ＤＳＬ，ＤＳＲ（図３参照）が設けられているため、例えば表示ディバイス３００ａ，３００ｂを白色ダイオードで形成したような場合でも、視覚効果を高めた演出表示を行うことができる。
【００７８】
また、上述したように表示ディバイス３００ａ，３００ｂ及び表示板ＤＳＬ，ＤＳＲの左右内側が奥、外側が遊技者側に近づけて傾斜しているので、奥側に位置する表示面の領域から遊技者側に近い表示面の領域へと画像を移動させて表示すると、次第に画像が遊技者側に近づいて来るような感覚を生じさせる奥行きを有した（立体感のある）演出画像を表示することができ、また、遊技者側に近い表示面の領域から奥側に位置する表示面の領域へと画像を移動させて表示すると、次第に画像が遊技者側から遠ざかっていくような感覚を生じさせる奥行きを有した（立体感のある）演出画像を表示することができる。
【００７９】
図７を参照して一具体例を示せば、遊技者に宇宙船のパイロットになった感覚を与えるべく演出表示する場合、同図（ａ）〜（ｃ）に模式的に示すように、宇宙空間を漂っている流星群等を表した画像ＧＳを表示ディバイス３００ａ，３００ｂ及び表示板ＤＳＬ，ＤＳＲの左右内側（奥側）の表示領域から、次第に外側（遊技者側）の表示領域へと移動させて表示すると、宇宙空間へ飛び出していくような感覚を遊技者に与えることができ、視覚的に楽しく且つ演出効果の高い演出画像を表示することができる。また、次第に画像の縮尺を変化させて表示することによって、より臨場感の得られる演出画像を表示することができる。
【００８０】
なお、以上の実施形態では、主としてドットマトリクス型ディスプレイで形成された表示ディバイス３００ａ，３００ｂによって演出表示を行う場合を説明したが、液晶ディスプレイ等の他の２次元表示が可能なディスプレイでもよい。
【００８１】
また、着色された半透明の表示板ＤＳＬ，ＤＳＲの裏面側に表示ディバイス３００ａ，３００ｂを設け、透過した演出画像によって演出表示を行う表示装置３００を実現しているが、必ずしも表示板ＤＳＬ，ＤＳＲの裏面側に表示ディバイス３００ａ，３００ｂを設ける場合に限定されるものではない。例えば、表示板ＤＳＬ，ＤＳＲの前面側に表示ディバイス３００ａ，３００ｂを設けて演出表示を行うようにしてもよい。また、かかる場合には、表示板ＤＳＬ，ＤＳＲは半透明又は透明でなくともよい。
【００８２】
また、上述の実施形態では、着色された半透明の表示板ＤＳＬ，ＤＳＲの裏面側に表示ディバイス３００ａ，３００ｂを設けることによって、表示ディバイス３００ａ，３００ｂを傾斜させて支持する機能と色フィルタとしての機能とを表示板ＤＳＬ，ＤＳＲに持たせた合理的な構造を実現しているが、必ずしもこれらの機能を備えた表示板ＤＳＬ，ＤＳＲでなくともよい。
【００８３】
例えば、表示ディバイス３００ａ，３００ｂをいわゆる３原色カラー表示が可能なカラーディスプレイで形成し、表示板ＤＳＬ，ＤＳＲの代わりに、表示ディバイス３００ａ，３００ｂを傾斜して支持するための単機能を備えた支持部材を設けるようにしてもよい。要は、表示ディバイス３００ａ，３００ｂの表示面を遮ることなく傾斜して支持する支持部材であればよい。
【００８４】
また、上述の実施形態では、枠体３００ｃに表示板ＤＳＬ，ＤＳＲ及び表示ディバイス３００ａ，３００ｂを取り付けておくことにより、スロットマシン１００の組み立て作業を簡素化することを可能にしている。しかし、必ずしもかかる構造に限定されるものではない。例えば、表示板ＤＳＬ，ＤＳＲを取り付けた枠体３００ｃを金属製フレームＦＬＭ１に取り付けた後、フロントドア１０１の裏面側から、表示ディバイス３００ａ，３００ｂを表示板ＤＳＬ，ＤＳＲに夫々取り付けてもよい。また、枠体３００ｃを金属製フレームＦＬＭ１に取り付けた後、フロントドア１０１の裏面側から、表示板ＤＳＬ，ＤＳＲと表示ディバイス３００ａ，３００ｂを取り付けてもよい。
【００８５】
また、中部パネル部１０４の略全体と同じ大きさの枠体３００ｃを設けなければならないというものではなく、回胴リールＲ１，Ｒ２，Ｒ３の左右両側に表示ディバイス３００ａ，３００ｂを左右方向に傾斜させて取り付ける取付構造、あるいは、回胴リールＲ１，Ｒ２，Ｒ３の左右両側に表示板ＤＳＬ，ＤＳＲと表示ディバイス３００ａ，３００ｂを左右方向に傾斜させて取り付ける取付構造であればよい。
【００８６】
また、上述の実施形態では、遊技者に対し左右の両側に２個の表示ディバイス３００ａ，３００ｂを傾斜して取り付ける場合を説明したが、かかる構造に限定されるものではなく、遊技者に対し左側又は右側の何れか一方に表示ディバイスを傾斜して取り付けてもよい。
【００８７】
また、表示装置３００をストットマシン１００に取り付けた場合を説明したが、他の遊技機、例えばパチンコ機にも適用することが可能である。
【００８８】
【発明の効果】
以上説明したように、請求項１ないし請求項６に係る各発明の遊技機によれば、表示手段の演出画像を遊技者の顔の方向に向けて表示するので、遊技者に対し演出画像を容易に目視させ、ゲームに集中して楽しむことを可能にする。
【００８９】
また、請求項３、請求項４に係る各発明の遊技機によれば、表示手段が設けられた枠体を前面パネルに取り付けるだけで、表示手段を遊技機に簡易に取り付けることができ、組み立て工程の簡素化等を実現することができる。
【００９０】
また、請求項５に係る発明の遊技機によれば、表示手段の画像が着色された半透明な板部を透過する際、その色によって変調された演出画像となって表示され、視覚効果、演出効果の高い演出表示を実現することができる。
【００９１】
また、請求項６に係る発明の遊技機によれば、回胴リール装置に対面する遊技者に対し、表示手段が顔の方向に向けて傾斜して設けられ、回胴リール装置を見ながら表示手段を見ることを可能にする。このため、遊技者がゲームに集中して楽しむことが可能なスロットマシンを提供することができる。また、複数のスロットマシンが配置されている遊戯場において、回胴リール装置の側方に、表示手段が顔の方向に向けて傾斜して設けられる結果、隣でゲームを行っている他の遊技者からゲームの進行状況等を除き込まれることを防止することができ、遊技者がゲームに集中して楽しむことが可能なスロットマシンを提供することができる。
【図面の簡単な説明】
【図１】本発明の実施形態に係るスロットマシンの外観構造を概略的に表した平面図である。
【図２】図１に示したスロットマシンの内部構造を概略的に表した平面図である。
【図３】図１及び図２に示したスロットマシンに設けられている第２表示装置の構造を表した分解斜視図である。
【図４】図３に示した第２表示装置の要部構造を表した斜視図及び断面図である。
【図５】図３及び図４に示した第２表示装置の組み立て後の構造を表した平面図である。
【図６】本発明の実施形態に係るスロットマシンに設けられている制御システムの構成を表したブロック図である。
【図７】第２表示装置に表示された演出画像の一具体例を模式的に示した図である。
【符号の説明】
１００…スロットマシン
１０１…フロントドア
２００…回胴リール装置
３００…第２表示装置
３００ａ，３００ｂ…表示ディバイス
３００ａｐ，３００ｂｐ…回路基板
３００ｃ…枠体
３００ｄ…開口
４００…中央制御部
４００ｂ…演出制御部
４００ｋ…表示装置制御部
Ａ１…板部
Ａ２…側壁部
ＬＥＤａ，ＬＥＤｂ…表示部
ＤＳＬ，ＤＳＲ…表示板
Ｒ１，Ｒ２，Ｒ３…回胴リール
ＳＴ…スタートレバー
ＳＰ１，ＳＰ２，ＳＰ３…ストップボタン
【図１】
2004329284.tif 000003
【図２】
2004329284.tif 000004
【図３】
2004329284.tif 000005
【図４】
2004329284.tif 000006
【図５】
2004329284.tif 000007
【図６】
2004329284.tif 000008
【図７】
2004329284.tif 000009